(57)【要約】【課題】現場での取付けや取外しが容易で、塵埃が室内に飛散する隙間のない可搬型養生シートを提供する。【解決手段】本可搬型養生シート１は、天井面１１から床面１２まで届く幅を有する布状の養生シート本体２を巻き込み、養生シート本体２の両端に設けられたマジックテープ（登録商標）６により養生シート本体２の両端を接続した筒状の養生シート本体２の上部の骨材８に設けられた定着手段である磁石又は吸盤１３により天井面１１に定着させ、養生シート本体２は、形状保持材７により形状が保持される。【選択図】図１
2011236626.tif 000002
【特許請求の範囲】
【請求項１】
建物の天井裏に配設された空調設備に関する工事の際に、塵埃が天井に設けられた開口部から室内に飛散しないように、開口部を含むように垂れ下げる養生シートにおいて、
天井面から床面まで届く幅を有する養生シート素材を巻き込み、養生シート素材の両端に設けられた接続手段により養生シート素材の両端を接続した筒状の養生シート本体の上部開口部を、定着手段により天井面に定着させることを特徴とする可搬型養生シート。
【請求項２】
請求項１に記載の可搬型養生シートであって、シート本体は、上部開口部に複数の磁石が備えられ、天井に設けられた開口部に周辺の鉄部に磁力により定着されることを特徴とする可搬型養生シート。
【請求項３】
請求項１又は２に記載の可搬型養生シートであって、シート本体は、上部開口部に複数の吸盤が備えられ、天井に設けられた開口部周辺の鉄部以外の部分に吸着して定着されることを特徴とする可搬型養生シート。
【請求項４】
請求項１乃至３のいずれか１に記載の可搬型養生シートであって、シート本体は、上部開口部に複数のフックが備えられ、天井に設けられた開口部内の突起部にフックが掛けられて定着されることを特徴とする可搬型養生シート。
【請求項５】
請求項１乃至４のいずれか１に記載の可搬型養生シートであって、筒状のシート本体には、シート本体の形状を保持する輪状の形状保持材が設けられることを特徴とする可搬型養生シート。
【請求項６】
請求項１乃至５のいずれか１に記載の可搬型養生シートであって、シート本体の下方には、掃除機の先端部が進入可能な開口部が設けられることを特徴とする可搬型養生シート。
【発明の詳細な説明】
【技術分野】
【０００１】
本発明は、可搬型養生シートに係り、特に、建物の天井裏に配設された空調設備に関する工事の際に、塵埃が天井に設けられた開口部から室内に飛散しないように、開口部を含むように垂れ下げ、持ち運びが可能な可搬型養生シートに関する。
【背景技術】
【０００２】
建物の天井裏に配設された、例えば、空調機の室内機などの空調設備は、故障時の修理や定期的なメンテナンスが行われる。この際には、例えば、建物の天井に設けられた吹き出し口などの開口部を開けて天井裏の空調設備にアクセスして工事が行なわれる。例えば、食品工場などの衛生管理が厳しい建物では、室内機を分解する際に発生する塵埃が開口部を通じて室内に飛散することを嫌うため、開口部を含むように垂れ下げる養生シートを張り巡らせることが行なわれている。
【０００３】
図４に、従来の養生シートの例を示す。この養生シート２０は、工事ごとに天井面３１から床面３２にまで届く長方形シート２２を４枚用意し、現場にて長方形シート２２同士をガムテープ２６などでつなぎ合わせて筒状にして室内２９と隔絶された閉鎖空間３０を設ける。そして、天井ボード２３の天井面３１の開口部２４回りにガムテープ２７などで貼り付けるのが一般的である。或いは、開口部２４の補強材である野縁２５にガムテープ２７で貼り付ける場合もある。そして、この養生シート２０の内部で脚立２８などを用いて作業を行ない、工事が終了すると、ガムテープ２６，２７を剥がして長方形シート２２を持ち帰る。
【０００４】
一方、特許文献１には、杭を伝わって落下する雨水を完全に防止すると共に、取り付けが容易な杭継手溶接部養生具か開示されている。
【先行技術文献】
【特許文献】
【０００５】
【特許文献１】特開２００１−３０３５５５号公報
【発明の概要】
【発明が解決しようとする課題】
【０００６】
従来の養生シートでは、現場での取付けや取外しに時間がかかり効率的な作業ではなかった。また、シート間、或いは天井面との間の隙間があるためそれらの隙間から塵埃が室内に飛散してしまうという問題があった。
【０００７】
本願の目的は、かかる課題を解決し、現場での取付けや取外しが容易で、塵埃が室内に飛散する隙間のない可搬型養生シートを提供することである。
【課題を解決するための手段】
【０００８】
上記目的を達成するため、本発明に係る可搬型養生シートは、建物の天井裏に配設された空調設備に関する工事の際に、塵埃が天井に設けられた開口部から室内に飛散しないように、開口部を含むように垂れ下げる養生シートにおいて、天井から床まで届く幅を有する布状のシートを巻き込み、シートの両端に設けられた接続手段によりシートの両端を接続した筒状のシート本体の上部開口部を、定着手段により天井面に定着させることを特徴とする。
【０００９】
上記構成により、可搬型養生シートは、現場にて接続手段によりシートの両端を接続して取付けることができ、接続手段を外すことで取外すことができる。すなわち、現場での取付けや取外しが容易にできる。また、定着手段により天井面に容易に定着させることができる。さらに、収納時には折り畳んで収納することができる。
【００１０】
また、可搬型養生シートは、シート本体が、上部開口部に複数の磁石が備えられ、天井に設けられた開口部周辺の鉄部に磁力により定着されることが好ましい。これにより、現場での取付けや取外しが容易となり、磁石によりシートを張ることで塵埃が室内に飛散する隙間を無くすことができる。
【００１１】
また、可搬型養生シートは、シート本体が、上部開口部に複数の吸盤が備えられ、天井に設けられた開口部に周辺の鉄部以外の部分に吸着して定着されることが好ましい。これにより、現場での取付けや取外しが容易となり、吸盤によりシートを張ることで塵埃が室内に飛散する隙間を無くすことができる。
【００１２】
また、可搬型養生シートは、シート本体が、上部開口部に複数のフックが備えられ、天井に設けられた開口部内の突起部にフックが掛けられて定着されることが好ましい。これにより、現場での取付けや取外しが容易となり、フックの掛かる位置を調整してシートを張ることで塵埃が室内に飛散する隙間を無くすことができる。
【００１３】
また、可搬型養生シートは、筒状のシート本体には、シート本体の形状を保持する輪状の保持材が設けられることが好ましい。これにより、天井高さが高い場合や、室内風によりシート本体が付記流される場合にも筒状のシート本体の形状を保持するにことができる。
【００１４】
さらに、可搬型養生シートは，シート本体の下方には、掃除機の先端部が進入可能な穴が設けられることが好ましい。これにより、床面近傍に落ちた塵埃を掃除機により容易に処理することができる。
【発明の効果】
【００１５】
以上のように、本発明に係る可搬型養生シートによれば、現場での取付けや取外しが容易で、塵埃が室内に飛散する隙間のない可搬型養生シートを提供することができる。
【図面の簡単な説明】
【００１６】
【図１】本発明に係る可搬型養生シートの１つの実施形態の概略構成を示す断面図である。
【図２】図１の可搬型養生シートの全体形状を示す斜視図である。
【図３】磁石、吸盤、フックといった定着手段を示す詳細断面図である。
【図４】従来の養生シートの概略構成を示す断面図である。
【発明を実施するための形態】
【００１７】
以下に、図面を用いて本発明に係る可搬型養生シートの実施形態につき、詳細に説明する。
【００１８】
図１に、本発明に係る可搬型養生シートの１つの実施形態の概略構成を断面図で示す。また、図２に、図１の可搬型養生シートの全体形状を斜視図で示す。
【００１９】
一般に養生シートは、建物の天井ボード３の裏側に配設された空調設備（図示せず）に関する工事の際に、塵埃が養生シート２によって形成された閉鎖空間１０内に留まり、天井面１１に設けられた開口部４から室内９側に飛散することがないように、天井面１１の開口部４を含むように垂れ下げられる。
【００２０】
本発明に係る可搬型養生シート１は、天井面１１から床面１２まで届く幅を有する養生シート本体２を巻き込み、養生シート本体２の両端に設けられた接続手段１９であるマジックテープ（登録商標）６により養生シート本体２の両端を接続する。接続手段１９としては、マジックテープ（登録商標）６以外にも、ファスナー、ジッパーなどであっても良い。これにより、筒状の養生シート本体２が形成される。筒状の養生シート本体２の最上部は、例えば、プラスティック製のパイプなどからなる骨材８に定着される。そして、後述するように、定着手段１８により天井面１１に定着される。
【００２１】
また、筒状の養生シート本体２には、養生シート本体２の形状を保持する輪状の形状保持材７が設けられる。この形状保持材７は、例えば、プラスティック製のパイプ又は棒などからなる輪であり、養生シート本体２に設けられる。この形状保持材７により筒状の養生シート本体２は蛇腹状、或いは太鼓状になる。本実施形態では、筒状の養生シート本体２は略円形であるが、それに限らず四角形などの多角形であっても良い。その場合には、形状保持材７をそれらの形状に加工される。
【００２２】
このように、本可搬型養生シート１は、現場にてマジックテープ（登録商標）６によりシートの両端を接続して取付けることができ、マジックテープ（登録商標）６を外すことで取外すことができる。すなわち、現場での取付けや取外しが容易にできる持ち運びが可能な養生シートである。また、収納時には折り畳んで収納することができる。
【００２３】
図３に、磁石、吸盤、フックといった定着手段１８の詳細を示す。図３（ａ）は、定着手段１８として磁石１６を用いた場合を示し、図３（ｂ）は、定着手段１８として吸盤１３を用いた場合を示し、図３（ｃ）は、定着手段１８としてフック１７を用いた場合を示す。骨材８は、養生シート本体２を巻き付け、折り返した養生シート本体２が元の養生シート本体２と合わされてピン２１により固定される。これにより、養生シート本体２が骨材８に定着される。
【００２４】
養生シート本体２は、その最上部の骨材８との定着部に複数の磁石１６が備えられ、天井面１１に設けられた開口部４周辺の野縁５などの鉄製の部分に磁力により定着される。この磁石１６は、骨材８と養生シート本体２との間にアンカーされて固定される。
【００２５】
養生シート本体２は、その最上部の骨材８との定着部に複数の吸盤１３が備えられ、天井免１１に設けられた開口部４周辺の鉄部以外の部分に吸着して定着される。この吸盤１３は、骨材８と養生シート本体２との間にアンカーされて固定される。
【００２６】
養生シート本体２は、その最上部の骨材８との定着部に複数のフック１７が備えられ、天井に設けられた開口部内の突起部にフック１７が掛けられて定着される。このフック１７は、骨材８と養生シート本体２との間にアンカーされて固定される。
【００２７】
養生シート本体２の下方には、掃除機（図示せず）の先端部１５が進入可能な掃除機用開口１４が設けられる。床面１２近傍に落ちた塵埃を掃除機により容易に処理することができる。
【符号の説明】
【００２８】
１  可搬型養生シート、２  養生シート本体、３，２３  天井ボード、４  開口部、５，２５  野縁、６  マジックテープ（登録商標）、７  形状保持材、８  骨材、９，２９  室内、１０，３０  閉鎖空間、１１，３１  天井面、１２，３２  床面、１３  吸盤、１４  掃除機用開口、１５  先端部、１６  磁石、１７  フック、１８  定着手段、１９  接続手段、２０  養生シート、２１  ピン、２２  長方形シート、２６，２７  ガムテープ、２８  脚立。
【図１】
2011236626.tif 000003
【図２】
2011236626.tif 000004
【図３】
2011236626.tif 000005
【図４】
2011236626.tif 000006